(57)【要約】【解決課題】本発明は，インテリアとしてのデザイン性が豊かで，かつ使用者の多様なニーズを満たすような複数種の配置パターンをとることができるソファーを提供することを解決課題とする。【解決手段】本発明は，特定の形状とした４つのソファー部材を組み合わせて一つのソファーとすることにより，複数種の配置パターンで配置することによりができる組換えが自在となるソファーを得ることができる【選択図】図１
2013046654.tif 000002
【特許請求の範囲】
【請求項１】
第１座面部と，前記第１座面部に連設する第１側面部及び第１背面部を有する第１のソファー部材と，
第２座面部と，前記第２座面部に連設する第２側面部及び第２背面部を有し，前記第１のソファー部材と左右対象の形状であり，前記第１のソファー部材と連接され配置される第２のソファー部材と，
第３座面部と，前記第３座面部に連設する第３背面部を有し，前記第１のソファー部材又は，前記第２のソファー部材と連接され配置される第３のソファー部材と，
第４座面部を有する第４のソファー部材と，
前記第１座面部と，前記第２座面部の一部に載置される第１のクッションマットと，
前記第２座面部の他部と，前記第３座面部に載置される第２のクッションマットと，
前記第４座面部に載置される第３のクッションマットと，
前記第１のクッションマットと連接し，前記第１背面部と，前記第２背面部の一部に付設される第１の背もたれクッションマットと，
前記２のクッションマットと連接し，前記第２の背面部に他部に付設される第２の背もたれクッションマットと，
前記２のクッションマットと連接し，前記第２側面部と，前記第３背面部に付設される第３の背もたれクッションマットとを含み，
前記第１座面部，第２座面部，第３座面部及び第４座面部は四角形状であって，接地面からの高さが同じである組換え自在ソファー。
【請求項２】
前記第４のソファー部材の前記第４の座面部の長辺側の幅方向の寸法をＬ，前記第１の座面部の長辺側の幅方向の寸法をＤとした場合，
前記第３のソファー部材の前記第３の座面部の長辺側の幅方向の寸法がＬであり，Ｄ≧Ｌである請求項１に記載の組換え自在ソファー。
【請求項３】
前記第１のクッションマットと前記第２のクッションマットは同一の形状であり，第１の背もたれクッションマットと第３の背もたれクッションマットは同一の形状である前記請求項１または請求項２に記載の組換え自在ソファー。
【請求項４】
前記第１のソファー部材の前記第１の座面部の長辺側の幅方向の寸法をＤ，記第１の座面部の短辺側の幅方向の寸法及び前記第２の座面部の短辺側の幅方向の寸法をＬとし，ここでＤ−Ｌ＝Ｒとした場合，前記第１のクッションマットの長辺側の幅方向の寸法がＤ＋Ｒであり，前記第１のクッションマットの短辺側の幅方向の寸法がＬである請求項３に記載の組換え自在ソファー。
【請求項５】
前記第１のクッションマット，前記第２のクッションマット，前記第３のクッションマット，前記第１の背もたれクッションマット，前記第２の背もたれクッションマット及び前記第３の背もたれクッションマットは各々，着脱可能なクッションマットカバーによって覆われている請求項１から請求項３のいずれかに記載の組換え自在ソファー。
【発明の詳細な説明】
【技術分野】
【０００１】
本発明は，ソファー部材を組換えることにより，ソファー全体の形状を自在に変えることができるソファーに関する。
【背景技術】
【０００２】
従来から，複数のソファー部材がセットになったソファーが知られている。２つ以上のソファー部材をセットとしたソファーは，一つ一つのソファー部材は小型であるため，持ち運びが容易で，各々の座体を自由に移動させることができる。また，２つ以上の座体をつなげて一つのソファーとすることもできる。
【０００３】
特許文献１に開示されたソファーは，ソファー部材とソファーの座面と同じ高さを有する足置き台を別体として設けられている。足置き台はソファー部材から切り離して使用することもできるし，足置き台をソファー部材に収容してソファーのみを使用することもできる。
【先行技術文献】
【特許文献】
【０００４】
【特許文献１】特開２００９−２０１５２９号公報
【発明の概要】
【発明が解決しようとする課題】
【０００５】
しかしながら，複数のソファー部材がセットになったソファーやソファー部材と足置き台がセットになったソファーでは，各部材の組み合わせ方に限りがあり，多様なパターンで組み合わせ，配置することはできなかった。そのため，インテリアとしてのデザイン性に乏しいものであった。また，複数の座体部材がセットになったソファーは配置のパターンに限りがあったため，複数人が同時に使用したり，一人が足を伸ばして横になって使用したりといった様々な使い方に対応しきれなかった。そのため，近年多様化しているソファーの使用者のニーズを満たすことができなかった。
【０００６】
また，複数の座体部材がセットになったソファーをコーナーソファーとして使用する場合は，購入の際は最初にコーナーを左右どちら側にするかを決めなければならず，引っ越しの際などにソファーの配置を決める際の大きな制約となっていた。
【０００７】
このため，現在は，インテリアとしてのデザイン性が豊かで，かつ使用者の多様なニーズを満たすような複数種の配置パターンをとることができるソファーが求められている。
【課題を解決するための手段】
【０００８】
そこで，本発明者は，上記従来技術の問題点を解消するために鋭意検討した結果，特定の形状とした４つのソファー部材を組み合わせて一つのソファーとすることにより，複数種の配置パターンで配置することによりができる組換えが自在となるソファーを得ることができるという知見を得た。
【０００９】
本発明は，ソファー部材を組換えることにより，ソファー全体の形状を自在に変えることができるソファーに関する。本発明に係るソファーは，第１のソファー部材，第２のソファー部材，第３のソファー部材，及び第４のソファー部材から構成される。第１のソファー部材は，第１座面部と，第１座面部に連設する第１側面部及び第１背面部を有する。第２のソファー部材は，第２座面部と，第２座面部に連設する第２側面部及び第２背面部を有し，第１のソファー部材と左右対象の形状であり，第１のソファー本体と連接される。第３のソファー部材は，第３座面部と，第３座面部に連設する第３背面部を有し，第１のソファー部材又は，第２のソファー部材と連接される。第４のソファー部材は，第４座面部から構成される。さらに，本発明に係るソファーは第１のクッションマットと，第２のクッションマット，３のクッションマット，第１の背もたれクッションマット，第２の背もたれクッションマット，及び第３の背もたれクッションマットを有する。第１のクッションマットは，第１座面部と，第２座面部の一部に載置される。第２のクッションマットは，第２座面部の他部と，第３座面部に載置される。第３のクッションマットは，第４座面部に載置される。第１の背もたれクッションマットは，第１のクッションマットと連接し，第１背面部と，第２背面部の一部に付設される。第２の背もたれクッションマットは，２のクッションマットと連接し，第２の背面部の他部に付設される。第３の背もたれクッションマットは，第２のクッションマットと連接し，第２側面部と，第３背面部に付設される。
以上の４つのソファー部材を組換えて配置することにより，本発明に係るソファーは複数種の配置パターンで配置することができる。
【００１０】
本発明の好ましい態様は，第４のソファー部材の第４の座面部の長辺側の幅方向の寸法をＬ，第１の座面部の長辺側の幅方向の寸法をＤとした場合，第３のソファー部材の第３の座面部の長辺側の幅方向の寸法がＬであり，また，Ｄ≧Ｌである。これによって，後述する図３及び図５に示すような「コ」の字配置をとることができる。
【００１１】
本発明の好ましい態様は，第１のクッションマットと前記第２のクッションマットは同一の形状であり，第１の背もたれクッションマットと第３の背もたれクッションマットは同一の形状である。これによって，クッションマット及び背もたれクッションマットの一部を同じの形状とすることにより，クッションマットの生産効率が上がり，製造コストを抑えることができる。
【００１２】
本発明の好ましい態様は，第１のソファー部材の前記第１の座面部の長辺側の幅方向の寸法がＤ，記第１の座面部の短辺側の幅方向の寸法及び第２の座面部の短辺側の幅方向の寸法がＬとし，ここでＤ−Ｌ＝Ｒとした場合，前記第１のクッションマットの長辺側の幅方向の寸法がＤ＋Ｒであり，第１のクッションマットの短辺側の幅方向の寸法がＬである。これにより，クッションマットを，ソファー部材に隙間なく敷き詰めることができる。
【００１３】
本発明の好ましい態様は，第１のクッションマット，第２のクッションマット，第３のクッションマット，第１の背もたれクッションマット，第２の背もたれクッションマット及び第３の背もたれクッションマットは各々，着脱可能なクッションマットカバーによって覆われている。これによって，使用者はクッションマットカバーを，取り外し，洗浄することができ，使用者は衛生的にソファーを使用できる。
【発明の効果】
【００１４】
本発明によれば，それらのソファー部材を様々なパターンで配置することで，デザイン性が豊かで，かつ使用者の多様な使い方のニーズを満たすような複数種の配置パターンをとることができる組換え自在のソファーを提供することができる。また，本発明に係る４つのソファー部材は小型であるため，使用者はソファー部材を容易に移動させることができ，ソファーの組換えや，搬入を簡便に行うことができる。
【００１５】
本発明に係るソファーは，座体部材を組み合わせることで一連の長いソファーとしても使用できるし，各ソファー部材毎に分離して，４つのソファーとして使用することもできる。すなわち，本発明に係るソファーは，一人が足を伸ばして横になって使用したりすることもできるし，座体部材を分離させて，各部材毎に人が座ることで同時に複数の人たちがソファーを使用することもでき使い勝手が良い。
【００１６】
本発明に係るソファーは，ソファー部材の一部，又はクッションマット及び背もたれクッションマットの一部を同一の形状としている。そのため，クッションマットの生産効率が上がり，ソファーの製造コストを低く抑えることができる。
【図面の簡単な説明】
【００１７】
【図１】図１は，本発明の組換え自在ソファーの組換えパターンの斜視図を示している。
【図２】図２（Ａ）は，本発明の組換え自在ソファーの組換えパターンの平面図であり，クッションマットを敷いた例を示している。図２（Ｂ）は図２（Ａ）からクッションマットを除いたソファーのフレームの構成を示している。
【図３】図３（Ａ）は，本発明の組換え自在ソファーの組換えパターンの平面図であり，クッションマットを敷いた例を示している。図３（Ｂ）は図３（Ａ）からクッションマットを除いたソファーのフレームの構成を示している。
【図４】図３（Ａ）は，本発明の組換え自在ソファーの組換えパターンの平面図であり，クッションマットを敷いた例を示している。図３（Ｂ）は図３（Ａ）からクッションマットを除いたソファーのフレームの構成を示している。
【図５】図４（Ａ）は，本発明の組換え自在ソファーの組換えパターンの平面図であり，クッションマットを敷いた例を示している。図４（Ｂ）は図４（Ａ）からクッションマットを除いたソファーのフレームの構成を示している。
【図６】図５（Ａ）は，本発明の組換え自在ソファーの組換えパターンの平面図であり，クッションマットを敷いた例を示している。図５（Ｂ）は図５（Ａ）からクッションマットを除いたソファーのフレームの構成を示している。
【図７】図６（Ａ）は，本発明の組換え自在ソファーの組換えパターンの平面図であり，クッションマットを敷いた例を示している。図６（Ｂ）は図６（Ａ）からクッションマットを除いたソファーのフレームの構成を示している。
【発明を実施するための形態】
【００１８】
以下，図面を用いて本発明を実施するための形態について説明する。本発明は，以下に説明する形態に限定されるものではなく，以下の形態から当業者が自明な範囲で適宜修正したものも含む。
【００１９】
本発明は，ソファー部材を組換えることにより，ソファー全体の形状を自在に変えることができるソファーに関する。本発明に係るソファーは，４つのソファー部材と，３つのクッションマット，及び３つの背もたれクッションマットから構成される。４つのソファー部材を組換えて配置し，その上にクッションマット及び背もたれクッションマットを載置することにより，一組の組換え自在なソファーとなる。
【００２０】
図１は，右側をコーナーとして配置したソファーの斜視図を示している。図２は，図１を平面図で表したものを示している。第１のソファー部材１０は，第１座面部１３と，第１側面部１２と，第１背面部１１から構成される。また，第１のソファー部材１０は第１脚部１５を有しても良い。
第２のソファー部材２０は，第１のソファー部材と同様に，第２座面部２３と，第２側面部２２と，第２背面部２１から構成される。第２のソファー部材２０は第１のソファー部材１０と左右対象の形状である。つまり，第１側面部は，使用者が第１のソファー部材１０に腰掛けた際の右側に位置する側面に設けられ，第２側面部２２は使用者が第２のソファー部材２０も腰掛けた際の左側に位置する側面に設けられる。また，第２のソファー部材２０は第２脚部２５を有してもよい。
第３のソファー部材３０は，第３座面部３３と第３背面部３１から構成される。第３のソファー部材３０は第３脚部３５を有してもよい。尚，第３のソファー部材３０は側面部を有さない。
第４のソファー部材４０は，第４座面部から構成される。第４のソファー部材４０は第４脚部４５を有してもよい。尚，第４のソファー部材４０は側面部，及び背面部を有さない。
各々のソファー部材は全て同じ色を付しても良く，各々のソファー部材に異なる色を付しても良い。
【００２１】
図１及び図２に示すように，本発明に係るソファーは，これらに４つのソファー部材に，第１のクッションマット１００，第２のクッションマット１１０及び第３のクッションマット１２０を有する。さらに，本発明に係るソファーは第１の背もたれクッションマット１０１，第２の背もたれクッションマット１１１及び第３の背もたれクッションマット１１２を有する。
【００２２】
図２（Ｂ）は，ソファー部材のみの配置例の平面図を示している。第１のソファー部材１０と第２のソファー部材２０は，図２（Ｂ）に示すように側面部の対向辺側で連接される。さらに，第３のソファー部材３０は第２のソファー部材２０に連接される。この場合，第２側面部２２と第３背面部３１は直線上に配置される。さらに，第４のソファー部材４０は，第３のソファー部材３０に連接される。第４の座面部の長辺側が第３の座面部の長辺側と連接される。
【００２３】
図２（Ａ）は，図２（Ｂ）に示した４つのソファー部材を組み合わせたソファー部材にクッションマット，及び背もたれクッションマットを載置したものの平面図を示している。第１のクッションマット１００は，第１座面部１３と，第２座面部２３の一部に載置される。第２のクッションマット１１０は，第２座面部の一部と，第３座面部に載置される。第３のクッションマット１２０は，第４座面部に載置される。さらに，第１の背もたれクッションマット１０１は，第１のクッションマット１００と垂直方向に連接し，第１背面部１１と，第２背面部２１の一部に付設される。第２の背もたれクッションマット１１１は，第２のクッションマット１１０と垂直方向に連接し，第２背面部２１の一部に付設される。第３の背もたれクッションマット１１２は第２のクッションマット１１０と垂直方向に連接し，第２側面部２２と第３背面部３１に付設される。
第１のクッションマット１００及び第２のクッションマット１１０は，各々２つのソファー部材に跨って載置されており，境目を少なくしているため，座り心地が安定し，横になって使用した際の寝心地が良い。さらに，第１のクッションマット１００及び第２のクッションマット１１０は，境目を少なくしているため，物が挟まることを防止することができる。
【００２４】
本発明に係るソファーは，４つのソファー部材，クッションマット，及び背もたれクッションマットの各辺の幅寸法は一定の範囲内に特定されることが好ましい。図２に示すように，第４の座面部４３の長辺側の幅方向の寸法をＬとした場合，第３のソファー部材３０の第３の座面部３３の長辺側の幅方向の寸法は，第４の座面部４３の長辺側の幅方向の寸法と同じＬとなる。また，第１の座面部１３の長辺側の幅方向の寸法をＤとした場合，後述する図３の「コ」の字配置をとることができるよう，Ｄ≧Ｌであることが好ましい。さらに，第３の座面部３３の短辺側の幅方向の寸法をＡ’は，第４の座面部４３の短辺側の幅方向の寸法をＡとした場合，Ａ＝Ａ’であることが好ましい。
【００２５】
第１のクッションマット１００，第２のクッションマット１１０は同一の形状であることが好ましい。そのため，第１の座面部の短辺側の幅方向の寸法及び第２の座面部の短辺側の幅方向の寸法は，Ｌであることが好ましい。上述したように，Ｄ≧Ｌであるから，Ｄ−Ｌ＝Ｒとした場合，第１のクッションマット１００，第２のクッションマット１１０の長辺側の幅方向の寸法はＤ＋Ｒであることが好ましい。これによって，第１のクッションマット１００，第２のクッションマット１１０は，組み合わせたソファー部材に隙間なく敷き詰めることができる。
【００２６】
第１のクッションマット１００，前記第２のクッションマット１１０，前記第３のクッションマット１２０，前記第１の背もたれクッションマット１０１，前記第２の背もたれクッションマット１１１及び前記第３の背もたれクッションマット１１２は各々，着脱可能なクッションマットカバーによって覆われていることが好ましい。着脱可能なクッションマットカバーは全て同じ色のカバーとしても良いし，異なる色のカバーとしても良い。クッションマットカバーとソファー部材の色の組み合わせを変えることによっても，デザイン性を高めることができ，使用者は，多様なソファーのバリエーションを楽しむことができる。
着脱可能なクッションマットカバーは，一般的に用いられている布製や麻製のカバーでも良く，皮製のカバーでも良い。
また，クッションマットカバーは着脱可能であるため，使用者はクッションマットカバーを，取り外し，洗浄することができる。そのため，使用者は，衛生的にソファーを使用することができる。また，長期間の使用により，クッションマットカバーがすり減ってきた場合には，新しいクッションマットカバーを交換することができるため，ソファー毎買い換える必要がない。そのため，使用者は，ソファーを長年に渡って使用できる。
【００２７】
図３は，図２の配置から第４のソファー部材４０を第１のソファー部材１０に連接するように移動させた「コ」の字配置のソファーの平面図を示している。図３（Ｂ）は，ソファー部材のみの配置例の平面図を示している。図３（Ａ）は，図３（Ｂ）に示した４つのソファー部材を組み合わせたソファー部材にクッションマット，及び背もたれクッションマットを載せたものの平面図である。
【００２８】
図４は，左側をコーナーとして配置したソファーの斜視図を示している。図４（Ｂ）は，ソファー部材のみの配置例の平面図を示している。図４（Ａ）は，図４（Ｂ）に示した４つのソファー部材を組み合わせたソファー部材にクッションマット，及び背もたれクッションマットを載せたものの平面図が示されている。本発明に係るソファーは，第１のソファー部材，及び第２のソファー部材を左右対象とし，どちらの部材にも第３のソファー部材を連接することができるため，ソファーのコーナーを左右のどちら側にも設けることができる。使用者は，ソファーのコーナーの位置を購入後に選択できるため，模様替えや，引越しの際にもソファーの配置を自由に決定することができる。
【００２９】
図５は，図４の配置から第４のソファー部材４０を第２のソファー部材２０に連接するように移動させた「コ」の字配置のソファーの平面図を示している。図５（Ｂ）は，ソソファー部材のみの配置例の平面図を示している。図５（Ａ）は，図５（Ｂ）に示した４つのソファー部材を組み合わせたソファー部材にクッションマット，及び背もたれクッションマットを載せたものの平面図である。
【００３０】
図６は，第４のソファー部材４０を分離して配置した例の平面図を示している。図６（Ｂ）は，ソファー部材のみを配置した例の平面図を示している。図６（Ａ）は，図６（Ｂ）に示した４つのソファー部材を組み合わせたソファー部材にクッションマット，及び背もたれクッションマットを載せたものの平面図である。第４のソファー部材４０は，単独でソファーとして使用しても良く，足置きとして使用しても良い。
【００３１】
図７は，図２の配置から第４のソファー部材４０を縦方向に配向して配置した例の平面図を示している。図７（Ｂ）は，ソファー部材のみの配置例の平面図を示している。図７（Ａ）は，図７（Ｂ）に示した４つのソファー部材を組み合わせたソファー部材にクッションマット，及び背もたれクッションマットを載せたものの平面図である。
【産業上の利用可能性】
【００３２】
本発明は，座体を組換えることにより，ソファー全体の形状を自在に変えることができるソファーに関する。このため，本発明は，ソファーやインテリア家具に関する産業において利用することができる。
【符号の説明】
【００３３】
１０      第１のソファー部材
１１      第１背面部
１２      第１側面部
１３      第１座面部
１５      第１脚部
２０      第２のソファー部材
２１      第２背面部
２２      第２側面部
２３      第２座面部
２５      第２脚部
３０      第３のソファー部材
３１      第３背面部
３３      第３座面部
３５      第３脚部
４０      第４のソファー部材
４３      第４座面部
４５      第４脚部
１００    第１のクッションマット
１０１    第１の背もたれクッションマット
１１０    第２のクッションマット
１１１    第２の背もたれクッションマット
１１２    第３の背もたれクッションマット
１２０    第３のクッションマット
【図１】
2013046654.tif 000003
【図２】
2013046654.tif 000004
【図３】
2013046654.tif 000005
【図４】
2013046654.tif 000006
【図５】
2013046654.tif 000007
【図６】
2013046654.tif 000008
【図７】
2013046654.tif 000009
【手続補正書】
【提出日】平成23年8月29日(2011.8.29)
【手続補正１】
【補正対象書類名】図面
【補正対象項目名】全図
【補正方法】変更
【補正の内容】
【図１】
2013046654.tif 000010
【図２】
2013046654.tif 000011
【図３】
2013046654.tif 000012
【図４】
2013046654.tif 000013
【図５】
2013046654.tif 000014
【図６】
2013046654.tif 000015
【図７】
2013046654.tif 000016